(57)【要約】【課題】種々の用途に使用でき、使い勝手のよいマルチビューディスプレイ装置、マルチビューディスプレイ装置におけるオンスクリーン制御方法、及びオンスクリーン制御プログラムを提供すること。【解決手段】ＴＶ画像出力部１０からはＴＶ画像が出力される。描画チップ１１からはボタン等のオブジェクトが地図画等にオンスクリーン表示された画像が出力される。マイコン１４からはオブジェクトの色を指定した比較値が出力される。コンパレータ１５は、描画チップ１１からの画像と比較値とを比較し、一致するときは切替え制御信号ＶＳＷ「ＨＩＧＨ」にする。スイッチ１２は、制御信号ＶＳＷが「ＨＩＧＨ」となるタイミングで描画チップ１１からの画像を出力するように切り替わる。スイッチ１２からはＴＶ画像にオブジェクトがオンスクリーン表示された画像が出力される。【選択図】  図１
2007011061.tif 000002
【特許請求の範囲】
【請求項１】
１画面内に複数の画像を表示して、第１の視点側と第２の視点側とで前記各画像を表示するようにしたマルチビューディスプレイ装置において、
前記第１の視点側の画像と前記第２の視点側の画像とを前記画面内に表示させながら、共通のオブジェクト画像を前記第１の視点側の画像と前記第２の視点側の画像にオンスクリーン表示させる制御手段、
を備えることを特徴とするマルチビューディスプレイ装置。
【請求項２】
請求項１記載のマルチビューディスプレイ装置において、
前記制御手段は、前記オブジェクト画像の色を示す色情報を指定することで、前記共通のオブジェクト画像をオンスクリーン表示させる、ことを特徴とするマルチビューディスプレイ装置。
【請求項３】
請求項２記載のマルチビューディスプレイ装置において、
前記制御手段は、指定された色のオブジェクト画像を共通画像としてオンスクリーン表示させる、ことを特徴とするマルチビューディスプレイ装置。
【請求項４】
請求項２記載のマルチビューディスプレイ装置において、
前記制御手段は、指定された色のオブジェクト画像以外の画像を共通画像としてオンスクリーン表示させる、ことを特徴とするマルチビューディスプレイ装置。
【請求項５】
請求項２記載のマルチビューディスプレイ装置において、
前記制御手段は、前記共通のオブジェクト画像以外の色を示す色情報を指定することで、前記共通のオブジェクト画像をオンスクリーン表示させる、ことを特徴とするマルチビューディスプレイ装置。
【請求項６】
請求項１記載のマルチビューディスプレイ装置において、
前記制御手段は、前記共通のオブジェクト画像を前記第１の視点側の画像と前記第２の視点側の画像にオンスクリーン表示させる第１の制御手段と、前記共通のオブジェクト画像以外のオブジェクト画像を前記第１の視点側の画像と前記第２の視点側の画像とにオンスクリーン表示させる第２の制御手段とから構成される、ことを特徴とするマルチビューディスプレイ装置。
【請求項７】
請求項１記載のマルチビューディスプレイ装置において、
前記制御手段は、前記共通のオブジェクト画像のうち第１のオブジェクト画像を前記第１の視点側の画像にオンスクリーン表示させ、前記共通のオブジェクト画像のうち第２のオブジェクト画像を前記第２の視点側の画像にオンスクリーン表示させる、ことを特徴とするマルチビューディスプレイ装置。
【請求項８】
請求項７記載のマルチビューディスプレイ装置において、
前記制御手段には、更に、前記第１のオブジェクト画像を前記第２の視点側の画像に、前記第２のオブジェクト画像を前記第１の視点側の画像に切替えてオンスクリーン表示させる切替え手段を備える、ことを特徴とするマルチビューディスプレイ装置。
【請求項９】
請求項７又は請求項８記載のマルチビューディスプレイ装置において、
前記制御手段には、更に、前記第１のオブジェクト画像をオンスクリーン表示させるときは前記第２のオブジェクト画像をオンスクリーン表示させず、又は、前記第２のオブジェクト画像をオンスクリーン表示させるときは前記第１のオブジェクト画像をオンスクリーン表示させないよう選択する選択手段を備える、ことを特徴とするマルチビューディスプレイ装置。
【請求項１０】
請求項１記載のマルチビューディスプレイ装置において、
前記制御手段は、領域を指定することにより、前記領域内の前記共通のオブジェクト画像を前記第１の視点側の画像と前記第２の視点側の画像とにオンスクリーン表示させる、ことを特徴とするマルチビューディスプレイ装置。
【請求項１１】
請求項１０記載のマルチビューディスプレイ装置において、
前記制御手段は、前記領域を複数指定できる、ことを特徴とするマルチビューディスプレイ装置。
【請求項１２】
請求項１１記載のマルチビューディスプレイ装置において、
前記制御手段は、第１の領域を指定することで前記第１の視点側画像に前記第１の領域内の前記オブジェクト画像をオンスクリーン表示させ、第２の領域を指定することで、前記第２の視点側画像に前記第２の領域内の前記オブジェクト画像をオンスクリーン表示させる、ことを特徴とするマルチビューディスプレイ装置。
【請求項１３】
請求項１２記載のマルチビューディスプレイ装置において、
前記制御手段は、更に、前記第１の視点側画像に前記第２の領域内のオブジェクト画像をオンスクリーン表示させ、前記第２の視点側画像に前記第１の領域内のオブジェクト画像をオンスクリーン表示させるよう切替える切替え手段を備える、ことを特徴とするマルチビューディスプレイ装置。
【請求項１４】
請求項１記載のマルチビューディスプレイ装置において、
前記制御手段は、入力画像をキャプチャしたキャプチャ画像に前記オブジェクト画像をオンスクリーン表示させて前記第１の視点側の画像を生成し、当該第１の視点側の画像に更に前記入力画像をオンスクリーン表示させて前記第２の視点側の画像を生成することで、前記キャプチャ画像と前記オンスクリーン表示とを併用する、ことを特徴とするマルチビューディスプレイ装置。
【請求項１５】
請求項１４記載のマルチビューディスプレイ装置において、
前記制御手段は、更に、前記第１の視点側の画像と前記第２の視点側の画像とを入れ換えて、前記第１の視点側の画像を前記第２の視点側の画像、前記第２の視点側の画像を前記第２の視点側の画像として出力する切替え手段を備える、ことを特徴とするマルチビューディスプレイ装置。
【請求項１６】
請求項１４記載のマルチビューディスプレイ装置において、
前記制御手段は、前記共通のオブジェクト画像を前記第１の視点側と前記第２の視点側に表示させたまま、オンスクリーン表示された前記入力画像のみを前記第２の視点側から前記第１の視点側に切替える切替え手段を備える、ことを特徴とするマルチビューディスプレイ装置。
【請求項１７】
１画面内に複数の画像を表示して、第１の視点側と第２の視点側とで前記各画像を表示するようにしたマルチビューディスプレイ装置におけるオンスクリーン制御方法において、
前記第１の視点側の画像と前記第２の視点側の画像とを前記画面内に表示させながら、共通のオブジェクト画像を前記第１の視点側の画像と前記第２の視点側の画像にオンスクリーン表示させる、
ことを特徴とするオンスクリーン制御方法。
【請求項１８】
１画面内に複数の画像を表示して、第１の視点側と第２の視点側とで前記各画像を表示するようにしたマルチビューディスプレイ装置に対するオンスクリーン制御プログラムにおいて、
前記第１の視点側の画像と前記第２の視点側の画像とを前記画面内に表示させながら、共通のオブジェクト画像を前記第１の視点側の画像と前記第２の視点側の画像にオンスクリーン表示させる処理、
をコンピュータに実行させることを特徴とするオンスクリーン制御プログラム。
【発明の詳細な説明】
【技術分野】
【０００１】
本発明は、１つの画面内に複数の異なる画像を表示するマルチビューディスプレイ装置に関する。詳しくは、オンスクリーン用のオブジェクトを各画像に表示できるようにしたマルチビューディスプレイ装置に関する。
【背景技術】
【０００２】
従来から、カーナビゲーション装置等で運転席用の画像と助手席用の画像の異なる２つの画像を１つのディスプレイ装置に表示できるようにしたディスプレイ装置が提案されている。
【０００３】
かかる機能は、例えば、液晶画面内において１水平走査ライン上に交互に画素単位で２つの異なる画像の画素を並べるように表示するとともに、液晶画面の前方に画面縦方向に所定画素幅で交互にスリットを有するスリットバリアを設け、液晶画面の見る位置により異なる２つの画像を別々に表示している（例えば、以下の特許文献１）。
【０００４】
また、車両前方の映像が表示される表示画面内に、車速等の車両情報を表示できる領域を設けて、車両前方の映像と車両情報の映像とを１枚の液晶パネルに同時にオンスクリーン表示する技術も開示されている（例えば、以下の特許文献２）。
【特許文献１】特許第３１９４０２４号特許公報、特に図３
【特許文献２】特開２００４−３５６９６２号公開特許公報、特に図２
【発明の開示】
【発明が解決しようとする課題】
【０００５】
カーナビゲーション装置等では画面内に音声の調整用ボタン等、種々のオンスクリーン用のオブジェクトが表示される。従って、運転席用の映像と助手席用の映像の双方にかかるオブジェクトをオンスクリーン表示させることが望まれている。かかる表示により、ユーザは種々の用途に使用でき、使い勝手が良くなるからである。
【０００６】
そこで、本発明は種々の用途に使用でき、使い勝手のよいマルチビューディスプレイ装置、マルチビューディスプレイ装置におけるオンスクリーン制御方法、及びオンスクリーン制御プログラムを提供することを目的とする。
【課題を解決するための手段】
【０００７】
上記目的を達成するために、本発明は、１画面内に複数の画像を表示して、第１の視点側と第２の視点側とで前記各画像を表示するようにしたマルチビューディスプレイ装置において、前記第１の視点側の画像と前記第２の視点側の画像とを前記画面内に表示させながら、共通のオブジェクト画像を前記第１の視点側の画像と前記第２の視点側の画像にオンスクリーン表示させる制御手段、を備えることを特徴とする。
【０００８】
また、本発明は、前記マルチビューディスプレイ装置において、前記制御手段は、前記オブジェクト画像の色を示す色情報を指定することで、前記共通のオブジェクト画像をオンスクリーン表示させることを特徴としている。
【０００９】
更に、本発明は、前記マルチビューディスプレイ装置において、前記制御手段は、指定された色のオブジェクト画像を共通画像としてオンスクリーン表示させることを特徴とする。
【００１０】
更に、本発明は、前記マルチビューディスプレイ装置において、前記制御手段は、指定された色のオブジェクト画像以外の画像を共通画像としてオンスクリーン表示させることを特徴とする。
【００１１】
更に、本発明は、前記マルチビューディスプレイ装置において、前記制御手段は、前記共通のオブジェクト画像以外の色を示す色情報を指定することで、前記共通のオブジェクト画像をオンスクリーン表示させることを特徴とする。
【００１２】
更に、本発明は、前記マルチビューディスプレイ装置において、前記制御手段は、前記共通のオブジェクト画像を前記第１の視点側の画像と前記第２の視点側の画像にオンスクリーン表示させる第１の制御手段と、前記共通のオブジェクト画像以外のオブジェクト画像を前記第１の視点側の画像と前記第２の視点側の画像とにオンスクリーン表示させる第２の制御手段とから構成されることを特徴としている。
【００１３】
更に、本発明は、前記マルチビューディスプレイ装置において、前記制御手段は、前記共通のオブジェクト画像のうち第１のオブジェクト画像を前記第１の視点側の画像にオンスクリーン表示させ、前記共通のオブジェクト画像のうち第２のオブジェクト画像を前記第２の視点側の画像にオンスクリーン表示させる、ことを特徴とする。
【００１４】
更に、本発明は、前記マルチビューディスプレイ装置において、前記制御手段には、更に、前記第１のオブジェクト画像を前記第２の視点側の画像に、前記第２のオブジェクト画像を前記第１の視点側の画像に切替えてオンスクリーン表示させる切替え手段を備えることを特徴としている。
【００１５】
更に、本発明は、前記マルチビューディスプレイ装置において、前記制御手段には、更に、前記第１のオブジェクト画像をオンスクリーン表示させるときは前記第２のオブジェクト画像をオンスクリーン表示させず、又は、前記第２のオブジェクト画像をオンスクリーン表示させるときは前記第１のオブジェクト画像をオンスクリーン表示させないよう選択する選択手段を備えることを特徴とする。
【００１６】
更に、本発明は、前記マルチビューディスプレイ装置において、前記制御手段は、領域を指定することにより、前記領域内の前記共通のオブジェクト画像を前記第１の視点側の画像と前記第２の視点側の画像とにオンスクリーン表示させることを特徴としている。
【００１７】
更に、本発明は、前記マルチビューディスプレイ装置において、前記制御手段は、前記領域を複数指定できることを特徴とする。
【００１８】
更に、本発明は、前記マルチビューディスプレイ装置において、前記制御手段は、第１の領域を指定することで前記第１の視点側画像に前記第１の領域内の前記オブジェクト画像をオンスクリーン表示させ、第２の領域を指定することで、前記第２の視点側画像に前記第２の領域内の前記オブジェクト画像をオンスクリーン表示させることを特徴とする。
【００１９】
更に、本発明は、前記マルチビューディスプレイ装置において、前記制御手段は、前記第１の視点側画像に前記第２の領域内のオブジェクト画像をオンスクリーン表示させ、前記第２の視点側画像に前記第１の領域内のオブジェクト画像をオンスクリーン表示させるよう切替える切替え手段を更に備えることを特徴としている。
【００２０】
更に、本発明は、前記マルチビューディスプレイ装置において、前記制御手段は、入力画像をキャプチャしたキャプチャ画像に前記オブジェクト画像をオンスクリーン表示させて前記第１の視点側の画像を生成し、当該第１の視点側の画像に更に前記入力画像をオンスクリーン表示させて前記第２の視点側の画像を生成することで、前記キャプチャ画像と前記オンスクリーン表示とを併用することを特徴とする。
【００２１】
更に、本発明は、前記マルチビューディスプレイ装置において、前記制御手段は、更に、前記第１の視点側の画像と前記第２の視点側の画像とを入れ換えて、前記第１の視点側の画像を前記第２の視点側の画像、前記第２の視点側の画像を前記第２の視点側の画像として出力する切替え手段を備えることを特徴としている。
【００２２】
更に、本発明は、前記マルチビューディスプレイ装置において、前記制御手段は、前記共通のオブジェクト画像を前記第１の視点側と前記第２の視点側に表示させたまま、前記オンスクリーン表示された前記入力画像のみを前記第２の視点側から前記第１の視点側に切替える切替え手段を備えることを特徴とする。
【００２３】
また、上記目的を達成するために本発明は、１画面内に複数の画像を表示して、第１の視点側と第２の視点側とで前記各画像を表示するようにしたマルチビューディスプレイ装置におけるオンスクリーン制御方法において、前記第１の視点側の画像と前記第２の視点側の画像とを前記画面内に表示させながら、共通のオブジェクト画像を前記第１の視点側の画像と前記第２の視点側の画像にオンスクリーン表示させることを特徴としている。
【００２４】
更に、上記目的を達成するために本発明は、１画面内に複数の画像を表示して、第１の視点側と第２の視点側とで前記各画像を表示するようにしたマルチビューディスプレイ装置に対するオンスクリーン制御プログラムにおいて、前記第１の視点側の画像と前記第２の視点側の画像とを前記画面内に表示させながら、共通のオブジェクト画像を前記第１の視点側の画像と前記第２の視点側の画像にオンスクリーン表示させる処理、をコンピュータに実行させることを特徴としている。
【発明の効果】
【００２５】
本発明によれば、種々の用途に使用でき、使い勝手のよいマルチビューディスプレイ装置、マルチビューディスプレイ装置におけるオンスクリーン制御方法、及びオンスクリーン制御プログラムを提供することができる。
【発明を実施するための最良の形態】
【００２６】
本発明を実施するための最良の形態について、以下図面を参照しながら説明する。
【００２７】
［実施例１］
図１は、本発明が適用されるマルチビューディスプレイ装置（「ＭＶ装置」）１の構成例を示す図である。ＭＶ装置１は、ＴＶ画像出力部１０と、地図画描画チップ１１と、スイッチ１２と、並び替え部１３と、マイコン１４と、コンパレータ（比較器）１５、及びＭＶディスプレイ３０とから構成される。
【００２８】
ＴＶ画像出力部１０は、例えば、ＮＴＳＣ方式などのＴＶ画像を出力するためのものである。主として助手席側の画像が出力される。ＴＶ画像出力部１０は、例えば、ＤＶＤやＨＤＤに記録されたＴＶ画像を再生する再生装置や、ＶＨＦなど無線電波で送信されたＴＶ画像を受信して出力する受信装置などである。
【００２９】
地図画描画チップ（以下「描画チップ」）１１は、ナビゲーション用の地図画、走行規制画等、種々の画像を生成する。主として、運転席側の画像が出力される。本実施例１では地図画が生成されるものとする。
【００３０】
スイッチ１２は、ＴＶ画像出力部１０からのＴＶ画像と描画チップ１１からの出力画像とが入力されて、いずれか一方を切替えて出力する。このスイッチ１２は、後述の切替え制御信号ＶＳＷにより切替えが行われる。
【００３１】
並び替え部１３は、スイッチ１２からの出力画像と描画チップ１１からの出力画像とが入力されて、１ライン上に画素単位に交互に各画像の画素を並び替える。また、並び替え部１３は描画チップ１１に同期信号を出力する。描画チップ１１はこの同期信号に同期して、即ち、描画チップ１１は、ＴＶ画像出力部１０から出力されるＴＶ画像と同期して、出力画像を出力する。
【００３２】
マルチビューディスプレイ（以下、「ＭＶディスプレイ」）３０は、並び替え部１３からの画像が入力されて、当該画像を表示する。なお、ＭＶディスプレイ３０の前面には画面上垂直方向に画素単位にスリットを有するスリット部を備える。従って、ＭＶディスプレイ３０の見る角度（方向）により、スイッチ１２からの画像と描画チップ１１からの画像とが同一画面内に別々に表示される。
【００３３】
マイコン１４は、描画チップ１１にオンスクリーン用画像のオブジェクト及び当該オブジェクトの色情報を出力するとともに、コンパレータ１５にオブジェクトの色を示す比較値を出力する。オンスクリーン用画像のオブジェクトとは、例えば、音声調整用や色調整用のボタンや、ＴＶ画像のソース源（ＤＶＤなど）を示す表示などである。
【００３４】
なお、これらの各オブジェクトそのものはマイコン１４内（或いはマイコン１４外）のメモリに格納されて所定のタイミングで描画チップ１１に出力される。そして、描画チップ１１では、各オブジェクトを地図画に合成することで地図画にオブジェクトがオンスクリーン表示された画像が生成される。描画チップ１１は、かかる画像をスイッチ１２や並び替え部１３に出力する。
【００３５】
コンパレータ１５は、描画チップ１１からの画像とマイコンからの比較値とが入力され、描画チップ１１からの画像に対して比較値によって示された色と同じ色の画素が存在するか否かを判断し、一致するときは切替え制御信号ＶＳＷを「ＨＩＧＨ」、不一致のときは切替え制御信号ＶＳＷを「ＬＯＷ」にする。
【００３６】
以上のように構成されたＭＶ装置１における動作について図２乃至図３に示す例を基に説明する。図２（Ａ）は、ＴＶ画像出力部１０から出力されるＴＶ画像１００の例である。このＴＶ画像１００はスイッチ１２に出力される。
【００３７】
一方、描画チップ１１からは図２（Ｂ）に示す地図画像１１０が出力され、スイッチ１２及び並び替え部１３に出力される。この地図画像１１０には、オンスクリーン用画像のオブジェクトとして「ＶＯＬ０６」ボタン等１１１や「ＤＶＤ」表示１１２が表示される。
【００３８】
ここで、マイコン１４は、オレンジ色を比較値として指定した場合を考える。実際には、オレンジ色を示す数ビットの画素値が比較値となる。尚、ここで例示するオレンジ色とは、オブジェクトの色であり、その出力条件は、ユーザからの要求やシステムのプログラムに基づいて行われる。
【００３９】
コンパレータ１５には、描画チップ１１からの地図画像１１０が入力される。そして、地図画像１１０に対し、上から順に１水平走査ラインごとに画素を走査して、当該地図画像１１０内にあるオレンジ色と、比較値として指定したオレンジ色とが一致するか否か検出する。一致していれば切替え制御信号ＶＳＷを「ＨＩＧＨ」にする。不一致の場合は制御信号ＶＳＷを「ＬＯＷ」にする。従って、丁度、地図画像１１０内で「ＤＶＤ」表示１１２や各ボタン等１１１が描画チップ１１から出力されるタイミングで「ＨＩＧＨ」の切替え制御信号ＶＳＷがコンパレータ１５からスイッチ１２に出力される。
【００４０】
スイッチ１２は、この制御信号ＶＳＷが「ＬＯＷ」の間は、ＴＶ画像１００を出力し、制御信号が「ＨＩＧＨ」となるタイミングで地図画像１１０に切替えて出力する。従って、スイッチ１２は、描画チップ１１から「ＤＶＤ」表示１２等が出力されるタイミングで地図画像１１０を出力する。よって、スイッチ１２からは、ＴＶ画像１００に「ＤＶＤ」表示１２等のオブジェクトがオンスクリーン表示された画像が出力される。
【００４１】
そして、スイッチ１２からの出力画像と、描画チップ１１からの地図画像１１０とが並び替え部１３で並び替えられ、ＭＶディスプレイ３０から運転席側画面３１０として図３（Ａ）に示す画像が、助手席側画面３２０として図３（Ｂ）に示す画像が表示される。
【００４２】
このように、１つのディスプレイ３０に異なる２つの画像を表示するようにしたＭＶ装置１において、マイコン１４によりオブジェクトの色を指定して、切替え制御信号ＶＳＷによりオブジェクトが出力されるタイミングでＴＶ画像１００から地図画像１１０に切り替えることにより、双方の画像に共通のオンスクリーン用のオブジェクトが表示される。
【００４３】
本実施例１では、スイッチ１２から出力される画像が運転席用画像で、描画チップ１１から出力される画像が助手席用画像としたが、勿論、その逆でもよい。並び替え部１３によって画素の並びを変えればよい。
【００４４】
また、本実施例１ではオンスクリーン用画像のオブジェクトの色としてオレンジ色で説明したが、地図画像１１０の地図画で使用される色以外であれば何色でもよい。同じ色では、オブジェクトと地図画そのものとの区別がつかず、切替え制御信号ＶＳＷによりオブジェクトが出力されるタイミングで切替えが行われないこともあるからである。
【００４５】
[実施例２]
本実施例２では、運転席側画面として運転規制画面が表示され、助手席側画面としてＴＶ画像が同時に表示される中で、双方の画面に実施例１と同様にオンスクリーン用のオブジェクトが表示される例について説明する。
【００４６】
図４は、その構成例を示す図である。実施例１と略同様の構成で、同一の構成には同一の番号を示す。異なるのは、コンパレータ１５とスイッチ１２との間に切替え制御信号ＶＳＷの「ＨＩＧＨ」と「ＬＯＷ」とを反転させる反転器１６を設けている点と、マイコン１４によって指定する比較値が走行規制画の背景色である点である。この場合も、ＴＶ画像出力部１０から主として助手席用の画像が、描画チップ１１から主として運転席用の画像が出力される。
【００４７】
動作は以下のようになる。即ち、ＴＶ画像出力部１０からはＴＶ画像１００が出力される（図５（Ａ）参照）。描画チップ１１からは走行規制画にオブジェクト（同様に各ボタン１１１とＴＶ画像１００がＤＶＤから再生されることを示す「ＤＶＤ」表示１１２）がオンスクリーン表示された走行規制画像１２０が出力される（図５（Ｂ）参照）。
【００４８】
マイコン１４は、走行規制画の背景色を示す比較値をコンパレータ１５に出力する。例えば、比較値として青色を指定した場合で考える。コンパレータ１５では、走行規制画像１２０と比較値とを比較し、色が一致すれば制御信号ＶＳＷを「ＨＩＧＨ」にし、不一致のとき「ＬＯＷ」にする。
【００４９】
そして、反転器１６で「ＨＩＧＨ」、「ＬＯＷ」が反転され、青色と一致するときは制御信号ＶＳＷが「ＬＯＷ」となり、不一致のとき制御信号ＶＳＷが「ＨＩＧＨ」となる。この反転された制御信号ＶＳＷがスイッチ１２に入力されて、実施例１と同様に制御信号が「ＨＩＧＨ」のとき描画チップ１１からの走行規制画像１２０が出力されるよう切り替えられ、「ＬＯＷ」のときＴＶ画像１００が出力されるよう切り替えられる。
【００５０】
即ち、スイッチ１２は、走行規制画の背景色と同じ青色のとき、つまり、描画チップ１１から走行規制画そのものの領域の画像が出力されるタイミングでは制御信号ＶＳＷが「ＬＯＷ」のためＴＶ画像１００が出力されるよう切り替わり、走行規制画の背景色と異なる色、つまり、描画チップ１１からオンスクリーン用のオブジェクト（「ＤＶＤ」表示１１２や、ボタン１１１）が出力されるタイミングでは制御信号ＶＳＷが「ＨＩＧＨ」のため走行規制画像１２０が出力されるよう切替えられる。
【００５１】
従って、ＭＶディスプレイ３０画面上では、図６（Ａ）に示す運転席側画面３１０と、ＴＶ画像１００のボタン１１１、１１２等のオンスクリーン用のオブジェクトが表示された図６（Ｂ）に示す助手席側画面３２０とが表示される。
【００５２】
本実施例２では、走行規制画の背景色として青色を例にして説明したが、これは走行規制画像１２０にオンスクリーン表示されるオブジェクトと異なる色であれば何色でもよい。オブジェクトと同じ色ではオブジェクトが描画チップ１１から出力されるタイミングで必ずしもスイッチ１２を切替えることができないからである。
【００５３】
また、反転器１６を設けず、例えば、スイッチ１２の切替えを切替え制御信号ＶＳＷが「ＨＩＧＨ」のときＴＶ画像１００を出力し、「ＬＯＷ」のとき走行規制画像１２０を出力すれば、全く同様の画面を得ることが可能である。
【００５４】
[実施例３]
次に実施例３について説明する。実施例３は、切替え制御信号ＶＳＷを２系統持たせ、複数のマイコンから任意のタイミングで種々のオブジェクトをオンスクリーン表示させる例である。
【００５５】
図７は、その構成例を示す図である。実施例１と同一の構成には同一の番号を付している。実施例１（図１参照）に対して、更に、第２のマイコン１７と、第２のコンパレータ１８とを有している点が異なる。なお、第１のマイコン１４と、第１のコンパレータ１５は夫々実施例１のマイコン１４と、コンパレータ１５と同一の構成で同様の動作を行う。
【００５６】
第２のマイコン１７は、描画チップ１１から出力される画像のうちオンスクリーンされるオブジェクトの色を指定する点は第１のマイコン１４と同じであるが、対象となるオブジェクトが第１のマイコン１４とは異なる。
【００５７】
即ち、第２のマイコン１７で指定するオブジェクトは、例えば、現在録音、録画中を示す「ＲＥＣ」の文字や、ＦＭ受信した楽曲のアーティスト名、曲名などの楽曲に関する文字などである。第２のマイコン１７では、第１のマイコン１４で指定されるオブジェクト以外のオブジェクトに対して、その色を示す情報を比較値２として第２のコンパレータ１８に出力する。
【００５８】
なお、これらの文字情報を示すオブジェクトそのものは、第１のマイコン１４内（或いはマイコン１４外）のメモリに記憶され、描画チップ１１に出力することで１画像中の所定位置にかかるオブジェクトがオンスクリーン表示された画像が生成される。
【００５９】
第２のコンパレータ１８は、描画チップ１１からの画像と第２のマイコン１７からの比較値２とが入力され、比較値２と一致する色の画素があればそのタイミングで第２の切替え制御信号ＶＳＷ２を「ＨＩＧＨ」にする。不一致のときは「ＬＯＷ」にする。
【００６０】
スイッチ１２では、第２の切替え制御信号ＶＳＷ２が「ＬＯＷ」のときＴＶ画像出力部１０からのＴＶ画像を出力し、「ＨＩＧＨ」のとき描画チップ１１からの出力画像を出力するように切替える。
【００６１】
図８（Ａ）に示すＴＶ画像１００がＴＶ画像出力部１０から出力され、図８（Ｂ）に示す走行規制画像１２１が描画チップ１１から出力される例で考える。ここで、走行規制画像１２１のうち、オンスクリーン用のボタン１１１の色はオレンジ色、現在録音中を示すオンスクリーン用の「ＲＥＣ」表示１１３は赤色とする。
【００６２】
第１のマイコン１４はこのボタン１１１の色を示すオレンジを比較値１として出力する。第２のマイコン１７は「ＲＥＣ」表示１１３の色を示す赤を比較値２として出力する。実際にはこれらの色を示す画素値である。
【００６３】
第２のコンパレータ１８では、描画チップ１１からの走行規制画像１２１のうち「ＲＥＣ」表示１１３が出力されるタイミングで第２の切替え制御信号ＶＳＷ２が「ＨＩＧＨ」となるため、当該タイミングでスイッチ１２は、ＴＶ画像１００から走行規制画像１２１に切り替わる。同様に、描画チップ１１からの走行規制画像１２１のうちボタン１１１が出力されるタイミングで第１の切替え制御信号ＶＳＷ１が「ＨＩＧＨ」になるためスイッチ１２はＴＶ画像１００から走行規制画像１２１に切替わる。
【００６４】
従って、ＭＶディスプレイ３０では、運転席側画面３１０として図９（Ａ）に示す画像が表示され、助手席側画面３２０としてＴＶ画像１００に２つのマイコン１４、１７で指定された（２つの切替え制御信号ＶＳＷ１、ＶＳＷ２で指定された）２種類のオブジェクトが任意の位置に同時にオンスクリーン表示される画像が表示される（図９（Ｂ）参照）。
【００６５】
なお、本実施例３において、第１のマイコン１４で指定される比較値１と第２のマイコン１７で指定される比較値２とで指定される色情報は、それぞれ異なる色で、かつ、描画チップ１１で生成される、オブジェクト以外の画像（走行規制画や地図画そのもの画像）で使用される色以外であれば何色でもよい。
【００６６】
[実施例４]
次に実施例４について説明する。実施例４では、描画チップ１１で生成される画像から切り出したオブジェクトを別々にＴＶ画像にオンスクリーン表示させて、それらを運転席用、助手席用の画像として表示させるようにする。
【００６７】
図１０は、実施例４におけるＭＶ装置１の構成例を示す図である。実施例１と同一の構成には同一の番号を付している。
【００６８】
実施例１と異なるのは、マイコン１４から２つの異なる比較値１、２が出力され、夫々第１のコンパレータ１９、第２のコンパレータ２０に入力されて、それぞれから第１及び第２の切替え制御信号ＶＳＷ１、ＶＳＷ２が出力される点である。
【００６９】
更に、第１のスイッチ２１と、第２のスイッチ２２とを備え、いずれも、ＴＶ画像出力部１０からの出力画像と描画チップ１１からの出力画像とが入力され、いずれか一方を出力する。そして、並び替え部１３では２つのスイッチ２１、２２からの出力画像を並び替えるようにしている。
【００７０】
かかる構成における動作について、図１１乃至図１２を参照しながら説明する。
【００７１】
ＴＶ画像出力部１０からは図１１（Ａ）に示すＴＶ画像１００が出力される。また、描画チップ１１からは、図１１（Ｂ）に示すように、２種類のオブジェクト１１４、１１５がオンスクリーン表示された出力画像１２２が出力される。
【００７２】
マイコン１４からは比較値１としてオブジェクト１１４の色を示す値を、比較値２としてオブジェクト１１５の色を示す値を出力する。
【００７３】
第１のコンパレータ１９では、描画チップ１１から出力画像１２２が入力され、比較値１と同じ色の画素を走査したときに第１の切替え制御信号ＶＳＷ１を「ＨＩＧＨ」にして出力する。それ以外は「ＬＯＷ」である。
【００７４】
そして、第１のスイッチ２１は、第１の切替え制御信号ＶＳＷ１が「ＨＩＧＨ」のときＴＶ画像１００から出力画像１２２に切り替えて出力する。従って、ＭＶディスプレイ３０では、図１２（Ａ）に示す、一方のオブジェクト１１４のみ切り出した運転席側画面３１０が表示される。
【００７５】
また、第２のコンパレータ２０では、出力画像１２２のうち比較値２と同じ色の画素を走査したときに第２の切替え制御信号ＶＳＷ２を「ＨＩＧＨ」にして出力する。第２のスイッチ２２は、第２の切替え制御信号ＶＳＷ２が「ＨＩＧＨ」のときＴＶ画像１００から出力画像１２２に切替えて出力する。従って、ＭＶディスプレイ３０では、図１２（Ｂ）に示す、もう一方のオブジェクト１１５のみ切り出した助手席側画面３２０が表示される。
【００７６】
本実施例でも、比較値１と比較値２とでは異なる色を指定していることが前提である。なお、比較値１として例えば交通情報のオブジェクト、比較値２として例えば楽曲情報のオブジェクト、それぞれの色を指定することで、運転席側画面３１０には交通情報のオブジェクトのみオンスクリーン表示でき、また助手席側画面３２０に楽曲情報のオブジェクトのみオンスクリーン表示することもできる。
【００７７】
更に、比較値１、２による色の指定により、画面内で動きのないオブジェクトを運転席側画面３１０に、動きのあるオブジェクトを助手席画面に表示することも可能である。
【００７８】
なお、第１のスイッチ２１からの出力画像が運転席側の画像で、第２のスイッチ２２からの出力画像が助手席側の画像として説明したが、並び替え部１３による並び替えの設定により運転席側と助手席側の画像が逆の場合であってもよい。
【００７９】
[実施例５]
実施例５では、実施例４と略同様にオブジェクトを切り出して、それぞれを運転席用画像、助手席用画像にオンスクリーン表示させるが、例えば、ユーザが所定の操作ボタンを操作することで、運転席用画像を助手席側に表示させ、助手席用画像を運転席側に表示させるようにしている。
【００８０】
本実施例５の構成例を図１３に示す。本実施例５は、実施例４と略同様の構成で、同一の構成には同一の番号を付している。実施例４と異なるのは、２つのコンパレータ１９、２０と２つのスイッチ２１、２２との間にセレクタ（ＳＥＬ）２３を設けている点である。
【００８１】
セレクタ２３はマイコン１４から画面の切替えを示す制御信号が入力されると、第１のコンパレータ１９から出力される第１の切替え制御信号ＶＳＷ１を第１のスイッチ２１ではなく第２のスイッチ２２に出力されるよう切り替える。また、第２の切替え制御信号ＶＳＷ２を第１のスイッチ２１に出力されるよう切り替える。
【００８２】
実施例４の例で考える。本来、第１の切替え制御信号ＶＳＷ１は、第１のスイッチ２１においてＴＶ画像１００から出力画像１２２に切替えて、オブジェクト１１４を第１のスイッチ２１から出力させるためのものである。また、第２のスイッチ２２から出力される画像は助手席用の画像である。
【００８３】
従って、この第１の切替え制御信号ＶＳＷ１を第２のスイッチ２２に出力させることで、第２のスイッチ２２ではオブジェクト１１４が描画チップ１１から出力されるタイミングで出力画像１２２に切り替わるため、助手席側に図１４（Ｂ）に示す画像が表示される。
【００８４】
一方、第２の切替え制御信号ＶＳＷ２をセレクタ２３により第１のスイッチ２１に出力させることで、制御信号ＶＳＷ２が「ＨＩＧＨ」となるタイミングでＴＶ画像１００から出力画像１２２に切り替わるため、オブジェクト１１５のみ運転席側画面３１０にオンスクリーン表示された画面３１０が表示される（図１４（Ａ）参照）。
【００８５】
図１４に示すように、丁度、図１２に示す画像が運転席と助手席とで入れ替わった画像が表示されることになる。
【００８６】
このマイコン１４からセレクタ２３に画面切替えを示す制御信号が出力されるのは、例えば、図示しない操作ボタンをユーザが操作したときである。助手席のユーザは運転席側に表示された画像を見たい、運転席のユーザは助手席側に表示された画像を見たい、などの用途があるときに好都合である。
【００８７】
[実施例６]
次に実施例６について説明する。実施例４と同様に、複数のオブジェクトを切り出して、運転席側画面と助手席側画面に別々に表示させる点は同じであるが、本実施例６では、この別々にオンスクリーン表示されるオブジェクトの表示、非表示を選択できるようにする。
【００８８】
図１５は、本実施例６のＭＶ装置１の構成を示す図である。実施例５（図１３参照）と略同じ構成で、同様の構成には同一の番号を付している。異なるのは、セレクタ２４には、接地された信号線からの入力がある点である。
【００８９】
図１１の例で説明する。ＴＶ画像出力部１０からは図１１（Ａ）に示すＴＶ画像１００が出力される。描画チップ１１からは、図１１（Ｂ）に示す出力画像１２２が出力される。これらの画像１００、１２２はいずれも第１及び第２のスイッチ２１、２２に入力される。
【００９０】
第１のスイッチ２１からは、運転席側の画像が出力され、第２のスイッチ２２からは助手席側の画像が出力されるものとする。
【００９１】
ここで、マイコン１４から、運転席側の画像にオブジェクトをオンスクリーン表示せず、助手席側の画像にオンスクリーン表示させる（運転席側はオブジェクト非表示、助手席側はオブジェクト表示）ことを示す制御信号がセレクタ２４に入力された場合を考える。
【００９２】
セレクタ２４は、このとき、接地側の入力段を第１のスイッチ２１側に出力されるように切替える。第１のスイッチ２１には、「ＨＩＧＨ」となる切替え制御信号ＶＳＷ１又はＶＳＷ２が入力されないことになり、ＴＶ画像出力部１０からのＴＶ画像１００を出力させたままの状態となる。従って、運転席側の画面３１０には、常にＴＶ画像１００が表示され、オブジェクト１１４、１１５はオンスクリーン表示されない（図１６（Ａ）参照）。
【００９３】
一方、セレクタ２４は第１の切替え制御信号ＶＳＷ１又は第２の切替え制御信号ＶＳＷ２のうち一方をマイコン１４からの制御信号に基づいて第２のスイッチ２２に出力する。例えば、セレクタ２４は第１の切替え制御信号ＶＳＷ１の方を選択して第２のスイッチ２２に出力させる。
【００９４】
第１の切替え制御信号ＶＳＷ１は、図１１（Ｂ）に示すオブジェクト１１４が描画チップ１１から出力されるタイミングで「ＬＯＷ」から「ＨＩＧＨ」に切り替わるため、第２のスイッチ２２は、オブジェクト１１４が描画チップ１１から出力されるタイミングで出力画像１２２に切替えられる。従って、助手席側画面３２０には、図１６（Ｂ）に示すように、切り出されたオブジェクト１１４のみオンスクリーン表示された画像が表示される。
【００９５】
尚、セレクタ２４において第２の切替え制御信号ＶＳＷ２を第２のスイッチ２２に出力せると、助手席側画面３２０にオブジェクト１１５のみオンスクリーン表示された画像が表示される。
【００９６】
また、運転席側画面３１０のみオブジェクトをオンスクリーン表示させ、助手席側画面３２０にはオンスクリーン表示させない場合は、セレクタ２４において接地側の入力を第２のスイッチ２２に出力させればよい。
【００９７】
これにより、オンスクリーン表示される文字やボタンを運転席側又は助手席側の一方のみ表示させることが可能となる。
【００９８】
オブジェクトのオンスクリーン表示、非表示の切替えは、例えば、操作ボタンをユーザが操作することにより、マイコン１４がその操作を検知して、いずれか一方の表示、非表示を示す制御信号をセレクタ２４に出力させることで実現できる。
【００９９】
本実施例６において、第１のスイッチ２１から出力される画像が運転席側画面３１０に表示される画像、第２のスイッチ２２から出力される画像が助手席側画面３２０の画像として説明したが、その逆であってもよい。セレクタ２４が、オンスクリーン非表示側のスイッチ２１、２２に接地側の入力を出力させることで同様に実現できる。
【０１００】
［実施例７］
次に実施例７について説明する。実施例７は、オンスクリーン表示させる領域（場所）を指定して、例えば、ＴＶ画像の当該領域にオンスクリーン用のオブジェクトを表示させるようにする。
【０１０１】
図１７は、本実施例７におけるＭＶ装置１の構成を示す図である。実施例１と略同様の構成で、同一の構成には同一の番号を付している。異なるのは、コンパレータ１５の代わりに画素カウンタ２５が設けられ、領域を示すアドレスがマイコン１４から入力される点である。
【０１０２】
画素カウンタ２５は、このアドレス値と描画チップ１１からの出力画像とが入力され、出力画像の画素をカウントし、アドレス値に対応する画素をカウントしたときに、切替え制御信号ＶＳＷを「ＬＯＷ」から「ＨＩＧＨ」にする。
【０１０３】
動作について説明する。マイコン１４は、オンスクリーン表示させる領域を指定する。例えば、図１８に示すような領域１１６を指定する。そして、マイコン１４は、かかる領域１１６を示すアドレス値を画素カウンタ２５に出力する。例えば、図１８において、左上を原点とし、領域１１６内の座標位置に対応するアドレス値である。
【０１０４】
描画チップ１１からは、例えば、図１１（Ｂ）に示す出力画像１２２が出力され、画素カウンタ２５に入力される。画素カウンタ２５は、出力画像１２２に対して、図面上、上から順に水平走査ライン方向に入力される順番で画素をカウントし、マイコン１４からのアドレス値に一致するカウント値が得られると切替え制御信号ＶＳＷを「ＨＩＧＨ」にする。尚、ＴＶ画像出力部１０からは、図１１（Ａ）に示すＴＶ画像１００が出力される。
【０１０５】
スイッチ１２は、切替え制御信号ＶＳＷが「ＨＩＧＨ」となるタイミングで、ＴＶ画像１００から出力画像１２２に切替えて出力する。従って、描画チップ１１から領域１１６内の出力画像１２２が出力されるタイミングで、スイッチ１２はＴＶ画像１００から出力画像１２２に切替えて出力するため、図１９（Ａ）に示すように、ＴＶ画像１００の領域１１６にオブジェクト１１４がオンスクリーン表示された画像が表示される。この場合、スイッチ１２から出力される画像は、運転席側画面３１０に表示されるものとしている。
【０１０６】
一方、並び替え部１３の一方には、描画チップ１１からの出力画像１２２がそのまま入力されるため、出力画像１２２がそのまま助手席側画面３２０に表示される（図１９（Ｂ）参照）。
【０１０７】
このように画面内で領域１１６を指定して、その領域にオブジェクトをオンスクリーン表示させることで、例えば、助手席側画面３２０を半分に分割して、一方を地図画、他方をＴＶ画像とし、運転席側画面３１０を半分にして、双方とも地図画、とすることも可能である。画面を半分に分割したとき、一方の領域内のアドレス値をマイコン１４から出力すれば実現できる。
【０１０８】
［実施例８］
次に、実施例８について説明する。オンスクリーン表示させる領域を指定する点は実施例７と同様であるが、実施例８では、その領域を複数、個別に指定できるようにしている。
【０１０９】
図２０は、本実施例８におけるＭＶ装置１の構成を示す図である。実施例７等と同一の構成は同一の番号を付している。図２０に示すように、更に、第１及び第２の画素カウンタ２６、２７と、第１及び第２のスイッチ２１、２２を備え、マイコン１４からは、各画素カウンタ２６、２７に対してアドレス１、アドレス２を出力し、各画素カウンタ２６、２７からは夫々第１及び第２の切替え制御信号ＶＳＷ１、ＶＳＷ２が出力される。
【０１１０】
動作について説明する。ＴＶ画像出力部１０からは図１１（Ａ）に示すＴＶ画像１００が出力され、描画チップ１１からは図１１（Ｂ）に示す出力画像１２２が出力されるものとする。また、マイコン１４は、図２１（Ａ）に示す領域１１６Ａ内のアドレス値をアドレス１として出力し、図２１（Ｂ）に示す領域１１６Ｂ内のアドレス値をアドレス２として出力する。
【０１１１】
第１の画素カウンタ２６は、描画チップ１１からの出力画像１２２が入力され、アドレス１に対応する画素をカウントすると、第１の切替え制御信号ＶＳＷ１を「ＬＯＷ」から「ＨＩＧＨ」にする。第１のスイッチ２１では、第１の切替え制御信号ＶＳＷ１が「ＨＩＧＨ」になるタイミングで、ＴＶ画像１００から出力画像１２２に切替えて出力する。従って、図２２（Ａ）に示すように、領域１１６Ａ内のオブジェクト１１５がＴＶ画像１００にオンスクリーン表示された出力画像がＭＶディスプレイ３０に表示される。
【０１１２】
また、第２の画素カウンタ２６も同様に、アドレス２に対応する出力画像１２２の画素をカウントすると第２の切替え制御信号ＶＳＷ２を「ＬＯＷ」から「ＨＩＧＨ」にする。第２のスイッチ２２は、「ＨＩＧＨ」となるタイミングでＴＶ画像１００から出力画像１２２に切り替わるため、図２２（Ｂ）に示すように、領域１１６Ｂ内にオブジェクト１１５がオンスクリーン表示される画像が第２のスイッチ２２から出力され、この画像が助手席側画面３２０として表示される。
【０１１３】
尚、本実施例８では、２個の画素カウンタ２６、２７と２個のスイッチ２１、２２により２つの領域を指定したが、例えば、それ以上の個数の画素カウンタとスイッチによりそれ以上の領域に対してオンスクリーン表示させることも可能である。
【０１１４】
［実施例９］
実施例９は、実施例８と同様に領域を複数、個別に指定することができるが、運転席側画面と助手席側画面とを入れ換えて、運転席側画面に助手席用の画像が、助手席側画面に運転席用の画像が表示される。
【０１１５】
図２３は、本実施例９におけるＭＶ装置１の構成例を示す図である。実施例８（図２０）と略同様であるが、画素カウンタ２６、２７とスイッチ２１、２２との間にセレクタ２８を設けている点が実施例８と異なる。
【０１１６】
セレクタ２８は、第１及び第２の切替え制御信号ＶＳＷ１、ＶＳＷ２が入力されて、第１及び第２のスイッチ２１、２２に出力する。セレクタ２８は、マイコン１４から画面の入れ換えを示す制御信号が入力されると、第１の制御信号ＶＳＷ１を第２のスイッチ２２に、第２の制御信号ＶＳＷ２を第１のスイッチ２１に出力するように切替える。画面入れ換えを示す制御信号が入力されないときは、第１及び第２の制御信号ＶＳＷ１、ＶＳＷ２をそれぞれ、第１及び第２のスイッチ２１、２２に出力する。
【０１１７】
第１のスイッチ２１は、本来第１の制御信号ＶＳＷ１が「ＨＩＧＨ」となるタイミングでＴＶ画像１００（図１１（Ａ）参照）を出力画像１２２（図１１（Ｂ）参照）に切替えている。従って、第１のスイッチ２１からは、図２２（Ａ）に示す運転席用の画像が出力される。
【０１１８】
この第１の制御信号ＶＳＷ１を第２のスイッチ２２に入力させることで、第１の制御信号ＶＳＷ１が「ＨＩＧＨ」となるタイミングでＴＶ画像１００が出力画像１２２に切替わるため、第２のスイッチ２２からは助手席用の画像として図２２（Ａ）に示す画像が出力される。そして、ＭＶディスプレイ３０では、図２４（Ｂ）に示すように、助手席側画面３２０に運転席用の画像が表示される。
【０１１９】
また、第２の制御信号ＶＳＷ２を第１のスイッチ２１に入力させることで、同様に、運転席側画面３１０に助手席用の画像が表示されることになる（図２４（Ａ）参照）。丁度、実施例８の画像が運転席と助手席とで入れ替わった画像が表示される。
【０１２０】
本実施例９においても、実施例５等と同様に、このマイコン１４からセレクタ２８に画面入れ換えを示す制御信号が出力されるのは、例えば、図示しない操作ボタンをユーザが操作したときである。助手席のユーザは運転席側に表示された画像を見たい、運転席のユーザは助手席側に表示された画像を見たい、などの用途があるときに好都合である。
【０１２１】
［実施例１０］
実施例１０は、キャプチャ画像とオンスクリーン表示された画像とを併用して、運転席側の画面や助手席側の画面にそれぞれの画像を表示させるようにしたものである。
【０１２２】
図２５は、本実施例１０における構成例を示す図である。図１等と同一の構成には同一の番号を付している。
【０１２３】
キャプチャ２９は、ＴＶ画像出力部１０からのＴＶ画像が入力され、それを一旦メモリに格納して１フレーム分の画像を出力する。描画チップ１１では、かかる１フレーム分の画像にマイコン１４からのオブジェクトを合成する。スイッチ１２は、実施例１等と同様に描画チップ１１からの画像とＴＶ画像出力部１０からのＴＶ画像が入力されて、切替え制御信号ＶＳＷの制御により切替えて、いずれか一方を出力する。
【０１２４】
図２６乃至図２７の例で動作を説明する。まず、ＴＶ画像出力部１０から図２６（Ａ）に示すＴＶ画像１００が出力される。そして、キャプチャ２９でＴＶ画像１００をキャプチャして描画チップ１１に出力する。
【０１２５】
描画チップ１１は、マイコン１４からオンスクリーン表示させるオブジェクトの画像が入力されて、図２６（Ｂ）に示すように各オブジェクト１１７、１１８が配置された画像１２３を生成する。更に、描画チップ１１は、キャプチャしたＴＶ画像１００に画像１２３を合成したキャプチャ画像を生成する。その例を図２７（Ａ）に示す。この例では、ＴＶ画像１００を縮小している。
【０１２６】
一方、マイコン１４は、ＴＶ画像１００のうち表示させたい領域を示すアドレス値を画素カウンタ２５に出力する。画素カウンタ２５は、かかるアドレス値に対応するＴＶ画像１００の画素をカウントしたときに、切替え制御信号ＶＳＷを「ＬＯＷ」から「ＨＩＧＨ」にする。
【０１２７】
スイッチ１２は、切替え制御信号ＶＳＷが「ＨＩＧＨ」となるタイミングで、描画チップ１１からのキャプチャ画像からＴＶ画像１００に出力を切替える。従って、スイッチ１２からは、キャプチャ画像に対して指定した領域にＴＶ画像１００を乗せた画像が出力される。その例を図２７（Ｂ）に示す。
【０１２８】
そして、ＭＶディスプレイ３０では、運転席側画面３１０に図２７（Ａ）に示す画像が、助手席側画面３２０に図２７（Ｂ）に示す画像が表示される。
【０１２９】
これにより、例えば、交通情報のオブジェクト（図２７（Ａ）、（Ｂ）のオブジェクト１１７）が双方にオンスクリーン表示され、更に、運転席側には地図画（図２７（Ａ）のオブジェクト１１８）が表示され、助手席側にはその位置にＴＶ画像を大きく表示させることができる。
【０１３０】
［実施例１１］
実施例１１は、実施例１０で生成した運転席用の画像と助手席用の画像とを入れ換えるようにしたものである。
【０１３１】
図２８にその構成例を示す。実施例１０（図２５参照）と同一の構成には同一の番号を付している。実施例１０と異なるのは、スイッチ１２と並び替え部１３との間に切替え部３１を設けている点である。
【０１３２】
切替え部３１は、スイッチ１２の出力と描画チップ１１からの出力とが入力されて、これらを切替えて出力する。この切替え部３１は、マイコン１４からの画面入れ換えを示す制御信号により切替わる。
【０１３３】
切替え部３１のない図２８の構成では、スイッチ１２からの出力が助手席用の画像、描画チップ１１から並び替え部１３に出力される画像が運転席用の画像とした。この切替え部３１により、スイッチ１２からの出力画像が描画チップ１１からの出力画像として並び替え部１３に出力され、描画チップ１１からの出力画像がスイッチ１２からの出力画像として並び替え部１３に出力される。この場合、丁度、運転席側画面３１０には助手席用の画像が、助手席側画面３２０には運転席用の画像が、それぞれディスプレイ３０に表示される。その例を図２９に示す。
【０１３４】
尚、切替え部３１に入力される画面入れ換えを示す制御信号は、実施例５等と同様に、ユーザが操作ボタンを操作することで、それをマイコン１４が検知することで出力される。
【０１３５】
これにより、例えば、運転席側のユーザには交通情報等のオンスクリーン表示をそのままにして自動車を停止中に助手席側に表示されているＴＶ画像を見ることができる。また助手席のユーザも運転席側のみ見ることのできる地図画（図２９（Ｂ）のオブジェクト１１８）のオンスクリーン表示を助手席側でも見ることができる。
【０１３６】
［実施例１２］
実施例１２は、実施例１０で生成した運転席用の画像と助手席用の画像とに対し、共通のオンスクリーン表示を表示したまま、画面のみ入れ替えるようにした例である。例えば、図２７の例では、助手席側に表示された切り出し画面１００（右下側の画面１００）に対し、操作ボタンを操作することで、運転席側に当該画面１００を切替えて表示させる。
【０１３７】
その構成例は、図２８に示す。本実施例１２も実施例１１と同様の構成で実現できる。
【０１３８】
図２７に示す例で動作を説明すると、地図画描画チップ１１から図２７（Ａ）に示す画像が出力される。この出力画像は運転席用の画像とする。
【０１３９】
また、スイッチ１２からは、図２７（Ｂ）に示す画像が出力される。この出力画像は助手席用の画像とする。
【０１４０】
この際に、マイコン１４は、切替え部３１に対して、切り出し画面１００の領域を指定したアドレスを出力する。これにより、切替え部３１では、切り出し画面１００の領域が入力されるタイミングで運転席側の画面３１０から助手席側の画面３２０に切り替わることになり、運転席側の画面３１０には切り出し画面１００が表示されることになる。
【０１４１】
結果的に各画面３１０、３２０に表示される画像は、図２９と同様になる。
【０１４２】
［他の実施例］
上述した実施例１乃至１２の例は、すべて本発明のＭＶ装置１をカーナビゲーション装置に適用した場合について説明した。それ以外にも、本ＭＶ装置１をゲーム装置に適用することも可能である。
【０１４３】
例えば、対戦型ゲームで２人の操作者それぞれに別々の画像を表示させ、その画像の双方に得点をオンスクリーン表示させるなどである（実施例１）。この場合、各操作者の得点のみ各画面に表示させたり（実施例４）、その得点表示を入れ換えたり（実施例５）することも可能である。
【０１４４】
このように、本発明に係るＭＶ装置１をゲーム装置に適用しても、種々の用途に使用できユーザの使い勝手の良いＭＶ装置１を提供することができる。
【０１４５】
また、上述した実施例１乃至１２は、いずれも１画面内に２つの映像を表示させたＭＶ装置について説明した。それ以外にも、３つ以上の視方向から別々の映像を表示するＭＶ装置に本発明を適用しても良い。この場合でも、上述した例と同様の作用効果を奏する。
【図面の簡単な説明】
【０１４６】
【図１】本発明が適用されるＭＶ装置の構成例を示す図である。
【図２】ＴＶ画像と、描画チップから出力される画像の例を示す図である。
【図３】運転席側画面と、助手席側画面の例を示す図である。
【図４】ＭＶ装置の他の構成例を示す図である。
【図５】ＴＶ画像と、描画チップから出力される画像の例を示す図である。
【図６】運転席側画面と、助手席側画面の例を示す図である。
【図７】ＭＶ装置の他の構成例を示す図である。
【図８】ＴＶ画像と、描画チップから出力される画像の例を示す図である。
【図９】運転席側画面と、助手席側画面の例を示す図である。
【図１０】ＭＶ装置の他の構成例を示す図である。
【図１１】ＴＶ画像と、描画チップから出力される画像の例を示す図である。
【図１２】運転席側画面と、描画チップから出力される画像の例を示す図である。
【図１３】ＭＶ装置の他の構成例を示す図である。
【図１４】運転席側画面と、助手席側画面の例を示す図である。
【図１５】ＭＶ装置の他の構成例を示す図である。
【図１６】運転席側画面と、助手席側画面の例を示す図である。
【図１７】ＭＶ装置の他の構成例を示す図である。
【図１８】指定された領域の画面上における位置の例を示す図である。
【図１９】運転席側画面と、助手席側画面の例を示す図である。
【図２０】ＭＶ装置の他の構成例を示す図である。
【図２１】指定された領域の画面上における位置の例を示す図である。
【図２２】運転席側画面と、助手席側画面の例を示す図である。
【図２３】ＭＶ装置の他の構成例を示す図である。
【図２４】運転席側画面と、助手席側画面の例を示す図である。
【図２５】ＭＶ装置の他の構成例を示す図である。
【図２６】ＴＶ画像と、描画チップから出力される画像の例を示す図である。
【図２７】運転席側画面と、助手席側画面の例を示す図である。
【図２８】ＭＶ装置の他の構成例を示す図である。
【図２９】運転席側画面と、助手席側画面の例を示す図である。
【符号の説明】
【０１４７】
１・・・ＭＶ（マルチビューディスプレイ）装置、  １０・・・ＴＶ画像出力部、  １１・・・描画チップ、  １２・・・スイッチ、  １３・・・並び替え部、  １４・・・マイコン（第１のマイコン）、  １５・・・コンパレータ（第１のコンパレータ）、  １７・・・第２のマイコン、  １８・・・第２のコンパレータ、  ２１・・・第１のスイッチ、  ２２・・・第２のスイッチ、  ２３、２４、２８・・・セレクタ、  ３０・・・ＭＶディスプレイ、１００・・・ＴＶ画像、  １１０・・・地図画像、  １１１・・・ボタン（オブジェクト）、    １１２・・・「ＤＶＤ」表示（オブジェクト）、  １２０、１２１・・・走行規制画像、  ３１０・・・運転席側画面、  ３２０・・・助手席側画面、  ＶＳＷ・・・切替え制御信号
【図１】
2007011061.tif 000003
【図２】
2007011061.tif 000004
【図３】
2007011061.tif 000005
【図４】
2007011061.tif 000006
【図５】
2007011061.tif 000007
【図６】
2007011061.tif 000008
【図７】
2007011061.tif 000009
【図８】
2007011061.tif 000010
【図９】
2007011061.tif 000011
【図１０】
2007011061.tif 000012
【図１１】
2007011061.tif 000013
【図１２】
2007011061.tif 000014
【図１３】
2007011061.tif 000015
【図１４】
2007011061.tif 000016
【図１５】
2007011061.tif 000017
【図１６】
2007011061.tif 000018
【図１７】
2007011061.tif 000019
【図１８】
2007011061.tif 000020
【図１９】
2007011061.tif 000021
【図２０】
2007011061.tif 000022
【図２１】
2007011061.tif 000023
【図２２】
2007011061.tif 000024
【図２３】
2007011061.tif 000025
【図２４】
2007011061.tif 000026
【図２５】
2007011061.tif 000027
【図２６】
2007011061.tif 000028
【図２７】
2007011061.tif 000029
【図２８】
2007011061.tif 000030
【図２９】
2007011061.tif 000031